【事件の表示】
　平成　７年特許願第　　９２７２号「歯科治療ユニット」拒絶査定に対する審判事件［平成　８年　８月　６日出願公開、特開平　８−１９６５５３］について、次のとおり審決する。
【結　論】
　本件審判の請求は、成り立たない。
【理　由】
１．手続の経緯・本願発明
　本願は、平成７年１月２４日の出願であって、その請求項１に係る発明は、平成１２年８月３１日付け手続補正書により補正された明細書の記載からみて、その特許請求の範囲の請求項１に記載された次のとおりのものと認められる（以下、「本願発明」という）。
「水通路を有する歯科治療用インスツルメントを具備し、前記水通路を通して患者の口腔内に冷却水、スプレー等を噴射する機能を有する歯科治療ユニットであって、前記インスツルメントに至るまでの水通路中に切り換え弁を具備するとともに、該切り換え弁の一方の供給口に前記インスツルメントに供給する冷却用又はスプレー用の水を、他方の供給口に前記インスツルメントの水通路を洗浄する洗浄液を供給するようにし、前記切り換え弁を切り換えて、前記インスツルメントに供給する冷却用或いはスプレー用の水と、前記洗浄液とを切り換えて供給するようにした歯科治療ユニットにおいて、前記洗浄液が、毒性がなく、水に易溶であり、かつ、香味のある液体であることを特徴とする歯科治療ユニット。」
　　　
２．引用刊行物に記載された発明
　これに対して、原査定の拒絶の理由において引用された刊行物である、特開平６−３３９４８６号公報（以下、「引用例１」という）には、図面とともに以下の事項が記載されている。
（イ）「本発明は、歯科用ハンドピースの清掃、殺菌消毒及び潤滑のための溶液を供給する装置に関する。」点（段落【０００１】）、
（ロ）「本発明に係る歯科用ハンドピースの清掃、殺菌消毒及び潤滑のための溶液を供給する装置は上記目的を達成するために、歯科用ハンドピースの清掃、殺菌消毒及び潤滑のための溶液を、連関する周期によって連続的に開閉するソレノイド弁によって供給源または貯蔵槽それぞれから放出供給し、該溶液を該装置内に配置されたハンドピースを貫通させる装置であって、上記溶液がハンドピースに至るまでは霧状ではなく液状で搬送され、液体の供給用の管路１、２から分離された管路６を通じて供給される圧縮空気によりハンドピース内で霧状にするようにした構成としてある。」点（段落【０００７】）、
（ハ）「本発明に係る歯科用ハンドピースの清掃、殺菌消毒及び潤滑のための溶液を供給する装置は、上記流体装置がそれぞれ殺菌消毒液及び水用の二つの容器Ｂ１、Ｂ２からなり、これら容器Ｂ１、Ｂ２の底部はそれぞれ逆止弁Ａ１、Ａ２を備えた導管Ｃ１、Ｃ２により加圧下で容器Ｒ１、Ｒ２とつながり、また、殺菌消毒液または水のいずれかを選択的に通すための選択装置Ｓ１につながり、該選択装置Ｓ１は、２ポート２位置弁として用いる一対のフラップ型の２ポート２位置または３ポート２位置のソレノイド弁を備え、選択装置Ｓ１の出側には、処理部署の突出部に直接つなげるための処理部署の数と同数の複数本の配管が放射状に取付けてあってソレノイド弁ＥＶ８〜ＥＶ１１につなげてあり、該ソレノイド弁ＥＶ８〜ＥＶ１１は３ポート２位置または２ポート２位置のソレノイド弁であり、ソレノイド弁の第二の入口は機械的駆動ピースの処理部署に対応するソレノイド弁ＥＶ１の出口につながっているように構成することができる。」点（段落【００１０】）、
（ニ）「図２は全配管系統を示しており、この配管系統には、夫々殺菌消毒用の容器Ｂ１、水用の容器Ｂ２及び潤滑油用の容器Ｂ３を含んでいる。容器Ｂ１、Ｂ２の底部はそれぞれ逆止弁Ａ１、Ａ２を備えた導管Ｃ１、Ｃ２により容器Ｒ１、Ｒ２とつながっている。容器Ｒ１、Ｒ２は、殺菌消毒液または水のいずれかを選択的に通すための選択装置Ｓ１につながっている。選択装置Ｓ１は、図１に示す例では一対のフラップ型の２ポート２位置または３ポート２位置のソレノイド弁ＥＶ３、ＥＶ５を２ポート２位置弁として用いることにより構成してある。ソレノイド弁ＥＶ３、ＥＶ５には３ポート２位置のピストン型ソレノイド弁を用いることもできる。選択装置Ｓ１の出側には、処理部署Ｘ１〜Ｘ４の数と同数の４本の配管が取付けてあり、ソレノイド弁ＥＶ８〜ＥＶ１１につなげてある。図２には示していないが、ソレノイド弁ＥＶ８〜ＥＶ１１は処理部署に直接つながっている。図示の例ではソレノイド弁ＥＶ８〜ＥＶ１１に３ポート２位置のものを用いているが、２ポート２位置のものでもよい。機械的駆動ピースの処理部署に対応するソレノイド弁の第二の入口はソレノイド弁ＥＶ１の出口につながっている。」点（段落【００１９】）、
（ホ）「図３Ａ、Ｂ、Ｃは、機械的に駆動されるハンドピースの処理のための部署の縦断面図である。油は入口１からハンドピース内にはいるようになっているが、入口１の開閉は殺菌消毒液または水を流すための入口２の開閉に完全に依存し、油は空気によりハンドピース内がそれより以前に完全に乾燥されている場合だけ注入される。このため、油と殺菌消毒液または油と水とがハンドピース内で混ざることはない。また入口１が噴霧液の取り入れ口４を介して管路５を通じて突出部３に導かれるようになっているので、支持突出部３は噴霧チャンネル４内を貫通することはない。」点（段落【００２３】）、
（ヘ）「図３Ａは、水や消毒液としてのアルコールを注入するためのエア入口が図中符号７で示す位置で閉鎖されている状態を示している。図３Ｂでは、殺菌消毒液の取り入れ口が図中符号７で示す位置で閉ざされ、エアが図中符号６で示す開口から注入され、その結果管路９、１０を通じてハンドピース８に向かい、かつ噴霧管路４を通る通路を通過する殺菌消毒液が偏向させられているのを示している。図３は、殺菌消毒液の通路から独立している通路１、１１、５を示している。図４は外部噴霧ノズルの配置を示している。ハンドピースの軸１３の周りに４つのノズル１２が配置されている。ソレノイド弁ＥＶ７によって供給されるアルコールがこの配置によって円錐形状のジェット状に噴霧され、これによって、ハンドピースの外部表面のすべてが濡らされる。」点（段落【００２４】）。
　上記（イ）〜（ヘ）の記載及び図面の記載を総合すると、上記引用例１には、「管路を有する歯科用ハンドピースを具備する装置であって、前記歯科用ハンドピースに至るまでの管路中にソレノイド弁で構成される選択装置を具備するとともに、該選択装置の一方の供給口に前記歯科用ハンドピースに供給する水を、他方の供給口に前記歯科用ハンドピースの殺菌消毒液を供給するようにし、前記選択装置を切り換えて、前記歯科用ハンドピースに供給する水と、前記殺菌消毒液とを切り換えて供給するようにした装置。」の発明（以下、「引用発明１」という）が記載されているものと認められる。
　　　
３．対比・判断
　そこで、本願発明と上記引用発明１とを対比してみると、上記引用発明１の「管路」は、本願発明の「水通路」に相当し、以下同様に、「歯科用ハンドピース」は「歯科治療用インスツルメント」に、「ソレノイド弁から構成される選択装置」は「切り換え弁」に、「歯科用ハンドピースに供給する水」は「インスツルメントに供給する水」に、「殺菌消毒液」は「洗浄液」に、それぞれ相当するものである。
　そして、通常、歯科用ハンドピースは患者の口腔内に冷却水、スプレー等を噴射する機能を有する器具であって、その際、ハンドピースに供給される水は冷却用またはスプレー用として利用されているものであるし、また、歯科用ハンドピースを具備する設備とは、歯科治療ユニットにほかならない。
　そうしてみると、両者は、「水通路を有する歯科治療用インスツルメントを具備し、前記水通路を通して患者の口腔内に冷却水、スプレー等を噴射する機能を有する歯科治療ユニットであって、前記インスツルメントに至るまでの水通路中に切り換え弁を具備するとともに、該切り換え弁の一方の供給口に前記インスツルメントに供給する冷却用又はスプレー用の水を、他方の供給口に前記インスツルメントの水通路を洗浄する洗浄液を供給するようにし、前記切り換え弁を切り換えて、前記インスツルメントに供給する冷却用或いはスプレー用の水と、前記洗浄液とを切り換えて供給するようにした歯科治療ユニット。」である点で一致しており、以下の（Ａ）点で相違しているものと認められる。
　　　
（Ａ）本願発明においては、洗浄液が、毒性がなく、水に易溶であり、かつ、香味のある液体であるのに対して、引用発明１においては、洗浄液に相当するものとして殺菌消毒液を用いている点
　　　
　そこで、上記相違点（Ａ）について検討すると、水通路内の水垢、細菌、鉄サビや、それによって生じるスライム等を除去し、人体への安全をも考慮した水利設備用洗浄剤であって、「毒性がなく、水に易溶であり、香味のある」という性質を有する有機酸が配合された洗浄剤は本願出願前周知のものであり（例えば、特開昭５９−１６４３９８号公報、特開昭５３−１０１００７号公報、特開平３−１９０９９９号公報、特表平６−５０８６１２号公報、特開昭５７−２８１９９号公報参照）、この周知の洗浄剤を、水通路を有する設備である点で一種の水利設備というべき歯科治療ユニットの洗浄剤として用いる点にも、格別な困難性を見出すことはできないから、上記相違点（Ａ）において本願発明のようにすることは、当業者が容易に想到し得るものである。
　　　
４．むすび
　したがって、本願発明は、上記引用例１及び上記周知のものに基いて当業者が容易に発明をすることができたものであるから、特許法第２９条第２項の規定により特許を受けることができない。
　よって、結論のとおり審決する。